(57)【要約】      （修正有）【課題】バッテリの残り電力に応じて一定の録音品質又は再生品質を保ちながら、動作を継続することが可能な情報記録再生装置を提供する。【解決手段】プログラム情報を記録手段に記録する情報記録装置ＳＲにおいて、当該装置の動作を制御する制御手段１と、電圧監視手段５と、プログラム情報の記録状況と、記録手段における記録状況との少なくとも何れか一方の記録状況を認識する状況認識手段１と、を備え、制御手段は、記録状況が予め設定された条件を満たし、かつ、電源電圧が予め設定された第１の閾値よりも小さくなったときに、プログラム情報が記録される際の当該装置の消費電力を低下させるための低消費動作モードに切り換える。【選択図】図１
2005243143.tif 000002
【特許請求の範囲】
【請求項１】
プログラム情報を記録手段に記録する情報記録装置において、
当該装置の動作を制御する制御手段と、
当該装置に供給される電源電圧を監視する電圧監視手段と、
を備え、
前記制御手段は、前記電源電圧が予め設定された第１の閾値よりも小さくなったときに、前記プログラム情報が記録される際の当該装置の消費電力を低下させるための低消費動作モードに切り換えることを特徴とする情報記録装置。
【請求項２】
請求項１に記載の情報記録装置において、
前記制御手段は、前記電源電圧が前記第１の閾値よりも小さい第２の閾値よりも小さくなったときに、前記プログラム情報の記録を待機させるための記録待機モードに切り換えることを特徴とする情報記録装置。
【請求項３】
請求項１に記載の情報記録装置において、
前記制御手段は、前記電源電圧が前記第２の閾値よりも小さい第３の閾値よりも小さくなったときに、前記プログラム情報の記録を中止するように動作制御することを特徴とする情報記録装置。
【請求項４】
請求項３に記載の情報記録装置において、
前記制御手段は、前記プログラム情報に含まれる一単位の情報の記録が完了しているか否かを判別し、完了していない場合には、途中まで記録された前記一単位の情報を前記記録手段から消去するように制御することを特徴とする情報記録装置。
【請求項５】
請求項１乃至４のいずれか１項に記載の情報記録装置において、
前記プログラム情報が前記記録手段に記録される前に、当該プログラム情報を圧縮する情報圧縮手段を備え、
前記制御手段は、前記低消費動作モードに切り換えた場合には、前記プログラム情報の圧縮率が低下するように前記情報圧縮手段を制御することを特徴とする情報記録装置。
【請求項６】
請求項１に記載の情報記録装置において、
前記記録手段に記録する際、前記プログラム情報に対し所定の処理を施す処理手段を更に有し、
前記制御手段は、前記記録手段におけるプログラム情報の記録状況と前記処理手段における処理状況との関係により定められる最小消費電力での前記プログラム情報の記録動作を行わせるべく前記処理手段を制御することを特徴とする情報記録装置。
【請求項７】
プログラム情報を記録手段から再生する情報再生装置において、
当該装置の動作を制御する制御手段と、
当該装置に供給される電源電圧を監視する電圧監視手段と、を備え、
前記制御手段は、前記電源電圧が予め設定された第１の閾値よりも小さくなったときに、前記プログラム情報が再生される際の当該装置の消費電力を低下させるための低消費動作モードに切り換えることを特徴とする情報再生装置。
【請求項８】
プログラム情報を記録手段に記録する情報記録方法において、
当該装置の動作を制御する制御工程と、
当該装置に供給される電源電圧を監視する電圧監視工程と、
を備え、
前記制御工程は、前記電源電圧が予め設定された第１の閾値よりも小さくなったときに、前記プログラム情報が記録される際の当該装置の消費電力を低下させるための低消費動作モードに切り換えることを特徴とする情報記録方法。
【請求項９】
プログラム情報を記録手段から再生する情報再生方法において、
当該装置の動作を制御する制御工程と、
当該装置に供給される電源電圧を監視する電圧監視工程と、を備え、
前記制御工程は、前記再生状況が予め設定された条件を満たし、かつ、前記電源電圧が予め設定された第１の閾値よりも小さくなったときに、前記プログラム情報が再生される際の当該装置の消費電力を低下させるための低消費動作モードに切り換えることを特徴とする情報再生方法。
【請求項１０】
プログラム情報を記録手段に記録する情報記録装置に含まれるコンピュータを、
当該装置の動作を制御する制御手段、
当該装置に供給される電源電圧を監視する電圧監視手段と、して機能させ、
前記制御手段は、前記電源電圧が予め設定された第１の閾値よりも小さくなったときに、前記プログラム情報が記録される際の当該装置の消費電力を低下させるための低消費動作モードに切り換えることを特徴とする情報記録用プログラム。
【請求項１１】
プログラム情報を記録手段から再生する情報再生装置に含まれるコンピュータを、
当該装置の動作を制御する制御手段と、
当該装置に供給される電源電圧を監視する電圧監視手段と、して機能させ、
前記制御手段は、前記電源電圧が予め設定された第１の閾値よりも小さくなったときに、前記プログラム情報が再生される際の当該装置の消費電力を低下させるための低消費動作モードに切り換えることを特徴とする情報再生用プログラム。
【発明の詳細な説明】
【技術分野】
【０００１】
本発明は、情報を記録する情報記録装置又は情報を再生する情報再生装置等の技術分野に関する。
【背景技術】
【０００２】
従来から、車載用情報記録再生装置においては、放送番組等の情報やＣＤ（コンパクトディスク）等の情報を、例えばＨＤＤ（ハードディスクドライブ）等に内蔵されたハードディスク等に録音・録画等することなどが行われている。
【０００３】
この録音等は、車に搭載されたバッテリ等を電源として動作することが可能になっている。
【特許文献１】特開２００２−２３０８９３
【発明の開示】
【発明が解決しようとする課題】
【０００４】
上述した構成を備える従来の車載用情報記録再生装置等は、車が走行している場合などエンジンが動作している状態ではエンジンから発電される電力がバッテリに供給され、そのバッテリを電源として動作している。したがって、バッテリから十分な電力が供給されている間は、情報記録再生装置は、安定した動作を行うことができる。しかし、エンジンが停止した場合には、バッテリに充電された電力のみで動作を行う必要があるので、例えば、長時間録音又は再生動作を継続して行うとバッテリの残り電力がエンジンを起動させるために必要となる電力量より下回ってしまう虞があり、録音又は再生動作を途中でやめざるをえない場合があった。
【０００５】
そこで、本願は、例えば、バッテリの残り電力に応じて、一定の録音品質を保ちながら録音動作を継続させる、又は一定の再生品質を保ちながら再生動作を継続させることが可能な情報記録装置、情報再生装置、情報記録方法及びに当該情報記録のための情報記録用プログラムを提供することにある。
【課題を解決するための手段】
【０００６】
本発明の請求項１に記載の情報記録装置は、プログラム情報を情報記録部等の記録手段に記録する情報記録装置において、当該装置の動作を制御するシステムコントローラ部等の制御手段と、当該装置に供給される内部電源部等の電源電圧を監視する電圧検出部等の電圧監視手段と、を備え、前記制御手段は、前記電源電圧が予め設定された第１の閾値よりも小さくなったときに、前記プログラム情報が記録される際の当該装置の消費電力を低下させるための低消費動作モードに切り換えることを特徴とする。
【０００７】
本発明の請求項７に記載の情報再生装置はプログラム情報を記録手段から再生する情報再生装置において、当該装置の動作を制御する制御手段と、当該装置に供給される電源電圧を監視する電圧監視手段と、を備え、前記制御手段は、前記電源電圧が予め設定された第１の閾値よりも小さくなったときに、前記プログラム情報が再生される際の当該装置の消費電力を低下させるための低消費動作モードに切り換えることを特徴とする。
【０００８】
本発明の請求項８に記載の情報記録方法は、プログラム情報を記録手段に記録する情報記録方法において、当該装置の動作を制御する制御工程と、当該装置に供給される電源電圧を監視する電圧監視工程と、を備え、前記制御工程は、前記電源電圧が予め設定された第１の閾値よりも小さくなったときに、前記プログラム情報が記録される際の当該装置の消費電力を低下させるための低消費動作モードに切り換えることを特徴とする。
【０００９】
本発明の請求項１０に記載の情報記録用プログラムは、プログラム情報を記録手段に記録する情報記録装置に含まれるコンピュータを、当該装置の動作を制御する制御手段、当該装置に供給される電源電圧を監視する電圧監視手段、して機能させ、前記制御手段は、前記電源電圧が予め設定された第１の閾値よりも小さくなったときに、前記プログラム情報が記録される際の当該装置の消費電力を低下させるための低消費動作モードに切り換えることを特徴とする。
【発明を実施するための最良の形態】
【００１０】
次に、本願に最適な実施の形態について、図面に基づいて説明する。
【００１１】
なお、以下の実施形態は、外部の情報再生装置によって再生された信号を入力信号Ｓｇｉとして本願に係わる情報記録装置に入力し、ＨＤＤ（Ｈａｒｄｄｉｓｃ ｄｒｉｖｅ）等の情報記録部に記録する場合に本願を適用した場合の実施の形態である。
【００１２】
（Ｉ）全体構成及び動作
始めに、本実施形態に係る情報記録装置の全体構成について、図１を用いて説明する。なお、図１は、本実施形態に係る情報記録装置の概要構成例を示すブロック図である。
【００１３】
図１に示すように、本実施形態に係る情報記録装置ＳＲは、外部の情報再生装置によって再生された信号である入力信号Ｓｇｉ等のプログラム情報を圧縮するＤＳＰ（Ｄｉｇｉｔａｌ Ｓｉｇｎａｌ Ｐｒｏｃｅｓｓｏｒ）等のデータ圧縮部２と、データ圧縮部２で圧縮された信号を記録するハードディスクドライブ等の情報記録部３と、外部から供給される電力を蓄えるとともに情報記録装置ＳＲ内の各ブロックに電力を供給するバッテリ等の内部電源部４の電圧値を検出する電圧検出部５と、情報記録装置ＳＲに必要な情報を記録再生するメモリ部８と、プログラム情報の記録状況若しくは情報記録部３の記録状況を認識する状況認識手段としての、又はその他の情報記録装置ＳＲ内各ブロックの状態を検知し、制御等を行う制御手段としてのシステムコントローラ部１とを備えて構成されている。
【００１４】
また、情報記録装置ＳＲの外部に設けられた内部電源部４は、外部の機器を駆動するための電源としても使用される。本実施形態の場合は、内部電源部４は、車のスタータ等の外部機器７を駆動する場合に使用される。
【００１５】
さらに、システムコントローラ部１には、演算処理等を行うためのＣＰＵ（Ｃｅｎｔｒａｌ Ｐｒｏｃｅｓｓｉｎｇ Ｕｎｉｔ）部、格納されたプログラムを実行するためのＲＯＭ（Ｒｅａｄ Ｏｎｌｙ Ｍｅｍｏｒｙ）部、および、実行されたプログラムの演算結果を一時的に記憶するＲＡＭ（Ｒａｎｄｏｍ Ａｃｃｅｓｓ Ｍｅｍｏｒｙ）部等が含まれている。本実施形態においては、情報記録部３の記録媒体（図示せず）をハードディスクとして説明しているが、これに限られるわけではなく、ＣＤ（Ｃｏｍｐａｃｔ ｄｉｓｃ）−Ｒ（Ｒｅｃｏｒｄａｂｌｅ）、ＣＤ−ＲＷ（ＲｅＷｒｉｔａｂｌｅ）、ＤＶＤ（Ｄｉｇｉｔａｌ Ｖｅｒｓａｔｉｌｅ Ｄｉｓｃ）−Ｒ、ＤＶＤ−ＲＷ、ＤＶＤ＋Ｒ、ＤＶＤ＋ＲＷ、ＤＶＤ＋ＲＯＭ、ＤＶＤ−ＲＡＭ、ＭＤ（Ｍｉｎｉ Ｄｉｓｃ）等の記録媒体としてもよい。
【００１６】
制御手段としてのシステムコントローラ部１は、電圧監視手段としての電圧検出部５を介して内部電源部４の電圧値を検出する。さらに、システムコントローラ部１は内部電源部４の電圧値があらかじめ設定された第１の閾値よりも小さくなった場合に、プログラム情報の記録状況（記録途中であるか否か等）又は情報記録部３の記録状況（ハードディスクの未記録容量等）に応じて、プログラム情報が記録される際の情報記録装置ＳＲの消費電力を低下させるための低消費動作モードに切り換える。
【００１７】
低消費動作モードとは、情報記録部３に記録される出力信号Ｓｇｄの信号品質を一定の水準に保ちつつ、情報記録装置ＳＲ内のデータ圧縮部２、情報記録部３、電圧検出部５、メモリ部８およびシステムコントローラ部１の消費電力を低下させる状態をいう。
【００１８】
また、制御手段としてのシステムコントローラ部１は、内部電源部４の電圧値が第1の閾値よりも小さいあらかじめ設定された第２の閾値よりも小さくなった場合には、情報記録装置ＳＲを記録待機モードに切り換える。
【００１９】
記録待機モードとは、記録されるための入力信号の有無を検知するデータ圧縮部２の機能と、内部電源部４の電圧値を検出する電圧検出部５の機能と、それらを検知し情報記録装置ＳＲの制御を行うシステムコントローラ部１の機能等を動作させるために必要な最小限の電力消費状態をいう。
【００２０】
さらに、制御手段としてのシステムコントローラ部１は、内部電源部４の電圧値が第２の閾値よりも小さいあらかじめ設定された第３の閾値よりも小さくなった場合には、情報記録装置ＳＲの記録動作を中止する。また、制御手段としてのシステムコントローラ部１は、プログラム情報が音楽情報であって記録途中の場合には、記録途中の音楽情報を情報記録部３から消去する。
【００２１】
さらに、制御手段としてのシステムコントローラ部１は、低消費動作モード時に、データ圧縮部２のデータ圧縮率を低下させるように制御することができる。
【００２２】
本実施形態の各ブロックの詳細について以下に説明する。
【００２３】
本実施形態の情報記録装置ＳＲにおいては、例えば、放送電波を介して受信した放送音楽等の情報（以下、当該情報を、適宜プログラム情報と称する）を受信し、またはＣＤなどの音楽情報が記録された記憶媒体をプレイヤーで再生した音楽等の情報（以下、当該情報を、適宜プログラム情報と称する）を、入力信号Ｓｇｉとして入力し、データ圧縮部２において入力信号を圧縮して、出力信号Ｓｇｄとして出力する。圧縮された出力信号Ｓｇｄが情報記録部３に記録される。
【００２４】
データ圧縮部２のデータ圧縮率は、システムコントローラ部１からの制御信号Ｃ１によって制御される。入力信号Ｓｇｉのデータ圧縮率を高くすると、データ圧縮部２は複雑な圧縮処理を行うので演算量は増加する。この結果、データ圧縮部２において消費される消費電力は大きくなる。また、データ圧縮率が高くなるために、入力信号Ｓｇｉのデータ量に比較して、出力信号Ｓｇｄのデータ量は少なくなる。したがって、情報記録部３に記録されるべきデータ量が減少するので、情報記録部３の消費電力が小さくなる。すなわち、データ圧縮部２のデータ圧縮率が高くなると、データ圧縮部２の消費電力は大きくなるが、一方で情報記録部３の消費電力は小さくなる。
【００２５】
また、入力信号Ｓｇｉのデータ圧縮率を低くすると、データ圧縮部２は、複雑な圧縮処理をしないので演算量は減少する。この結果、データ圧縮部２において消費される消費電力は小さくなる。また、データ圧縮率が小さくなると、出力信号Ｓｇｄのデータ量は多くなる。したがって、情報記録部３に記録されるべきデータ量が増加するので、情報記録部３の消費電力が大きくなる。すなわち、データ圧縮部２のデータ圧縮率が小さくなると、データ圧縮部２の消費電力は小さくなるが、一方で情報記録部３の消費電力は大きくなる。
【００２６】
データ圧縮部２におけるデータ圧縮率と消費電力との関係は、あらかじめ測定され、システムコントローラ部１内のＲＯＭ部にあらかじめ記録されている。また、情報記録部３における記録されるべき単位時間当たりの情報量と消費電力との関係も、あらかじめ測定され、システムコントローラ部１内のＲＯＭ部にあらかじめ記録される。したがって、データ圧縮率が決定されると、データ圧縮率に対応したデータ圧縮部２の消費電力が定まる。さらに、データ圧縮率が決定されると、情報記録部３に記録される単位時間当たりの情報量が決まるので、情報記録部３の消費電力も定まることになる。なお、前記単位時間当たりの情報量とは、出力信号Ｓｇｄとして送出される情報のビットレート（ｂｉｔｓ／秒）に相当する。
【００２７】
内部電源部４は、情報記録装置ＳＲ内のシステムコントローラ部１等の各ブロックへ電源を供給するバッテリ等であるが、外部電源部６から電力を供給される場合もある。この場合には、外部電源部６で発生した電力を平滑して、情報記録装置ＳＲ内の各ブロックへ電源を供給するとともに、内部電源部４が充電されることになる。
【００２８】
内部電源部４から、システムコントローラ部１に必要な電力が電源線ＶＢ１を介して供給され、データ圧縮部２に必要な電力が電源線ＶＢ２を介して供給され、情報記録部３に必要な電力が電源線ＶＢ３を介して供給される。また、内部電源部４から、メモリ部８に必要な電力が電源線ＶＢ８を介して供給される。各ブロックには、このようにして必要な電力が内部電源部４から供給される。
【００２９】
また、内部電源部４は、自動車のスタータ等の外部機器７を始動させる場合の電源供給源としても必要となる。自動車等のスタータとしての外部機器７が始動して、自動車等のエンジンが動作すると、エンジンの回転によって外部電源部６で電力が発生し、内部電源部４に電力が供給される。外部電源部６から内部電源部４に電力が供給されなくなる場合とは、エンジンが停止する場合である。エンジンが停止している場合に入力信号Ｓｇｉが情報記録装置ＳＲに入力されると、システムコントローラ部１は必要に応じて、入力信号Ｓｇｉをデータ圧縮部３で圧縮して情報記録部３に記録する動作を行う。
【００３０】
電圧検出部５は、内部電源部４の電圧レベルを、信号ＶＣ１を介して検出している。検出結果は、信号ＶＣ３を介してシステムコントローラ部１に出力される。システムコントローラ部１は信号ＶＣ３の情報に応じて、入力信号Ｓｇｉをデータ圧縮部３で圧縮して情報記録部３に記録する動作をするか否かを決定する。
【００３１】
外部電源部６から内部電源部４への電力の供給が停止すると、内部電源部４から信号ＶＣ２を介してシステムコントローラ部１に電力供給が停止したことを示す情報が入力される。この情報を受け取ったシステムコントローラ部１は、内部電源部４の電力容量内で、情報記録装置ＳＲを動作させる必要があることを検知する。
【００３２】
（II）本願の第１の実施形態
次に、システムコントローラ部１の制御の下で実行される本実施形態に係るプログラム情報である入力信号Ｓｇｉの記録処理について、図３を用いて説明する。なお、図３は本実施形態に係る記録処理を示すフローチャートである。
【００３３】
また、以下の本実施形態は、外部電源部６から内部電源部４への電力供給が停止した後の、内部電源部４の電圧レベルに応じたシステムコントローラ部１の処理内容を説明するものである。
【００３４】
図３に示すように、本実施形態の記録処理においては、ステップＳ１において、記録処理を開始する。すなわち、入力信号Ｓｇｉがデータ圧縮部２において圧縮処理され、データ圧縮部２から出力された出力信号Ｓｇｄが情報記録部３において記録処理されるのである。以上の動作をシステムコントローラ部１が制御する。
【００３５】
ステップＳ２において、外部電源部６から内部電源部４に電力が供給されているか否かをシステムコントローラ部１が検出する。システムコントローラ部１は、内部電源部４から出力される信号ＶＣ２によって、外部電源部６から内部電源部４に電力が供給されているか否かを検出する。外部電源部６から内部電源部４に電力が供給されている場合（ステップＳ１；ＮＯ）には、入力信号Ｓｇｉがデータ圧縮部２において圧縮処理され、データ圧縮部２から出力された出力信号Ｓｇｄが情報記録部３に記録される動作を続け、再び、ステップＳ１で信号ＶＣ２が変化していないかを調べる。外部電源部６から内部電源部４に電力が供給されていない場合（ステップＳ１；ＹＥＳ）には、ステップＳ３に進み、電圧監視を開始する。
【００３６】
ステップＳ３では、電圧開始が開始され、内部電源部４の電圧値が信号ＶＣ１を介して電圧検出部５で検出され、検出された結果の値が信号ＶＣ３を介してシステムコントローラ部１に入力される。その結果、内部電源部４の電圧値が十分に大きい場合（例えば本実施形態のバッテリでは１４．４ボルト以上の場合）には、ステップＳ７に進み、ステップＳ７へ進む電圧値よりも小さいがある程度大きい場合にはステップＳ６に進み、ステップＳ６へ進む電圧値よりも小さいがある程度大きい場合にはステップＳ５に進み、ステップＳ５へ進む電圧値よりも小さい場合（例えば本実施形態のバッテリでは１２．０ボルト以下の場合）にはステップＳ４に進む。
【００３７】
ステップＳ４では、システムコントローラ部１は、内部電源部４の残り電力容量が小さいと判断し、ただちに記録動作を終了し、ステップＳ８に進む。
【００３８】
ステップＳ８では、ステップＳ４で終了した記録動作中の入力信号Ｓｇｉに係わるプログラム情報である音楽情報等が途中で終了した場合に行う処理を示している。音楽情報の記録動作が途中で終了している場合には、再生時に記録終了部分である音楽情報の途中で突然再生が終了するので、使用者にとって大変聞きにくく、中途半端な再生となってしまう。そこで、本実施形態では、記録途中の音楽情報を曲単位で記録終了とする処理を行う。すなわち、曲の途中でステップＳ４に至った場合には、ステップＳ８において、その曲を削除し、曲の途中で記録終了している部分を情報記録部３に残さない処理を行うのである。
【００３９】
たとえば、実際に該当する曲全体を削除する場合に限らず、曲の管理情報等を削除することによって、再生時に該当曲が再生されないような処理を行うことも含む。このような、途中曲の削除等の後始末処理を終了すると、ステップＳ９へ進む。
【００４０】
ステップＳ９では、スタンバイモードへ情報記録装置ＳＲが移行する。ここで、スタンバイモードとは、情報記録装置ＳＲが必要最小限の電力しか消費しない状態である。具体的には、情報記録装置ＳＲの動作に必要な情報が記録されているメモリ部８にのみ内部電源部４から電源線ＶＢ８を通じて電力を供給する状態である。このような状態に情報記録装置ＳＲを移行することによって、内部電源部４の電力を余分に消費させないようにするのである。この結果、車等に搭載された情報記録装置ＳＲの場合、外部機器７であるスタータを起動するために必要な電力を内部電源部４に残すことができるようになる。したがって、情報記録装置ＳＲの記録動作のために、内部電源部４の電力が少なくなり、外部機器７であるスタータを起動することができなくなることを防ぐことができる。
【００４１】
ステップＳ５では、入力信号Ｓｇｉがデータ圧縮部２において圧縮処理され、データ圧縮部２から出力された出力信号Ｓｇｄが情報記録部３に記録される動作が続けられ、ステップＳ１１に進む。
【００４２】
ステップＳ１１では、情報記録装置ＳＲの記録動作が完了したか否かが判断される。具体的には、入力信号Ｓｇｉとして入力されるプログラム情報がなくなったか否かがデータ圧縮部２から出力される信号Ｃ１を介してシステムコントローラ部１によって判断される。記録動作が完了していない場合（ステップＳ１１：ＮＯ）には、ステップＳ１２に進み、記録動作が完了した場合（ステップＳ１１：ＹＥＳ）には、ステップＳ９に進む。
【００４３】
ステップＳ１２では、情報記録装置ＳＲの記録動作中において、入力信号Ｓｇｉとして入力されるプログラム情報が曲単位で記録が完了したか否かが判断される。具体的には、入力信号Ｓｇｉとして入力されるプログラム情報が曲の終了部分になったか否かを示す情報がデータ圧縮部２から出力される信号Ｃ１を介してシステムコントローラ部１に入力される。システムコントローラ部１は、プログラム情報が曲の終了部分になった旨の情報が信号Ｃ１を介して検出できない場合（ステップＳ１２；ＮＯ）は、ステップＳ３に進み、再び内部電源部４の電圧を検出する。システムコントローラ部１は、プログラム情報が曲の終了部分になった旨の情報が信号Ｃ１を介して検出した場合（ステップＳ１２；ＹＥＳ）には、ステップＳ１３に進む。
【００４４】
ステップＳ６では、ステップＳ５へ進む電圧値よりも大きいが十分に大きいとはいえない電圧値が検出された場合の処理を示すフローである。ステップＳ５と同様に入力信号Ｓｇｉがデータ圧縮部２において圧縮処理され、データ圧縮部２から出力された出力信号Ｓｇｄが情報記録部３に記録される動作を続け、ステップＳ１４に進む。
【００４５】
ステップＳ１４では、ステップＳ１１と同様に、情報記録装置ＳＲの記録動作が完了したか否かが判断される。具体的には、入力信号Ｓｇｉとして入力されるプログラム情報がなくなったか否かがデータ圧縮部２から出力される信号Ｃ１を介してシステムコントローラ部１によって判断される。記録動作が完了していない場合（ステップＳ１４：ＮＯ）には、ステップＳ１６に進み、記録動作が完了した場合（ステップＳ１４：ＹＥＳ）には、ステップＳ９に進む。
【００４６】
ステップＳ１６では、ステップＳ１２と同様に、情報記録装置ＳＲの記録動作中において、入力信号Ｓｇｉとして入力されるプログラム情報が曲単位で記録が完了したか否かが判断される。具体的には、入力信号Ｓｇｉとして入力されるプログラム情報が曲の終了部分になったか否かを示す情報がデータ圧縮部２から出力される信号Ｃ１を介してシステムコントローラ部１に入力される。システムコントローラ部１は、プログラム情報が曲の終了部分になった旨の情報を信号Ｃ１を介して検出できない場合（ステップＳ１６；ＮＯ）は、ステップＳ３に進み、再び内部電源部４の電圧を検出する。システムコントローラ部１は、プログラム情報が曲の終了部分になった旨の情報を信号Ｃ１を介して検出した場合（ステップＳ１６；ＹＥＳ）は、ステップＳ１７に進む。
【００４７】
ステップＳ１７では、情報記録装置ＳＲは、低消費動作モードへ移行する。低消費動作モードとは、内部電源部４から、情報記録装置ＳＲへ供給される電力を、必要最小限の電力量とし、情報記録装置ＳＲの消費電力を少なくさせる状態のことをいう。具体的には、内部電源部４から、情報記録装置ＳＲの動作に必要な情報が記録されているメモリ部８に必要な電力が電源線ＶＢ８を介して供給される。この電力は、メモリ部８が記録されたデータの状態を保持するために必要な最小限の電力である。また、内部電源部４から、情報記録装置ＳＲの動作に必要な電力が電源線ＶＢ１を介してシステムコントローラ部１に供給される。システムコントローラ部１が、電圧検出部５からの検出電圧値を入力し、判断処理を行い、他のブロック部に制御信号を出力するために必要な電力のみが内部電源部４から供給されるのである。さらに、内部電源部４から、情報記録装置ＳＲの動作に必要な電力が電源線ＶＢ１を介して電圧検出部５に供給される。電圧検出部が内部電源部４の電圧値を検出し、システムコントローラ部１に検出された電圧値を出力するために必要な電力が内部電源部４から供給されるのである。
【００４８】
データ圧縮部２では、消費電力が小さくなるように、データ圧縮率が小さく設定される。この設定は、システムコントローラ部１から制御信号Ｃ２を介して設定される。データ圧縮部２での圧縮率が小さくなると、入力信号Ｓｇｉのデータ量に対する出力信号Ｓｇｄのデータ量は、あまり減少しない。したがって、情報記録部３は、より多くのデータ量を持つ出力信号Ｓｇｄを記録することになるため、動作時間が長くなり、情報記録部３の消費電力量が増加してしまうという相反する事態が生じる。また、データ圧縮部２での圧縮率が大きくなると、入力信号Ｓｇｉのデータ量に対する出力信号Ｓｇｄのデータ量は減少する。したがって、情報記録部３は、少ないデータ量になった出力信号Ｓｇｄを記録するので、動作時間が短くなり、情報記録部３の消費電力量が減少するという相反する事態が生じる。
【００４９】
上述した事態は、以下に記載する方法によって、解決される。データ圧縮部２におけるデータ圧縮率と消費電力との関係は、あらかじめ測定され、システムコントローラ部１内のＲＯＭ部にあらかじめ記録されている。また、情報記録部３における記録されるべき単位時間当たりの情報量と消費電力との関係も、あらかじめ測定され、システムコントローラ部１内のＲＯＭ部にあらかじめ記録される。したがって、データ圧縮率が決定されると、データ圧縮率に対応したデータ圧縮部２の消費電力が定まる。さらに、データ圧縮率が決定されると、情報記録部３に記録される単位時間当たりの情報量が決まるので、情報記録部３の消費電力も定まることになる。このような情報を基に、システムコントローラ部１は、データ圧縮部２の消費電力量と、情報記録部３の消費電力量との和が最小になるように、制御信号Ｃ２によって、データ圧縮部２のデータ圧縮率を設定する。したがって、内部電源部４の残り電力量が少なくなった場合でも、曲の途中で記録動作を終了させることなく、データ圧縮率を下げることによって、情報記録装置ＳＲの消費電力を下げて曲単位で記録動作を終了させることも可能になるのである。
【００５０】
ステップＳ７では、内部電源部４の電圧が十分高く、内部電源部４の残り電力が十分にある場合の処理を示すフローである。入力信号Ｓｇｉがデータ圧縮部２において圧縮処理され、データ圧縮部２から出力された出力信号Ｓｇｄが情報記録部３に記録される動作が続けられ、ステップＳ１８に進む。
【００５１】
ステップＳ１８では、情報記録装置ＳＲの記録動作が完了したか否かが判断される。具体的には、入力信号Ｓｇｉとして入力されるプログラム情報がなくなったか否かがデータ圧縮部２から出力される信号Ｃ１を介してシステムコントローラ部１によって判断される。記録動作が完了していない場合（ステップＳ１８：ＮＯ）には、ステップＳ３に進み、記録動作が完了した場合（ステップＳ１８：ＹＥＳ）には、ステップＳ９のスタンバイモードに進む。
【００５２】
ステップＳ１０において、情報記録装置ＳＲの記録動作が終了する。
【００５３】
（III）第２の実施形態の全体構成及び動作
第２の実施形態に係る情報再生装置ＳＰの全体構成について、図２を用いて説明する。なお、図２は、本実施形態に係る情報再生装置の概要構成を示すブロック図である。
【００５４】
図２に示すように、本実施形態に係る情報再生装置ＳＰは、情報再生部１２と、情報再生部１２によって再生された信号である再生信号Ｓｇｃを伸張するＤＳＰ等のデータ伸張部１３と、情報再生装置ＳＰ内の各ブロックの状態を検知し、制御等を行うシステムコントローラ部１１と、外部から供給される電力を蓄えるとともに、情報再生装置ＳＰ内の各ブロックに電力を供給するバッテリ等の内部電源部１４と、内部電源部１４の電圧値を検出する電圧検出部１５と、情報再生装置ＳＰに必要な情報を記録再生するメモリ部１８と、を備えて構成されている。
【００５５】
また、内部電源部１４は、外部機器１７を駆動するための電源としても使用される。本実施形態の場合は、内部電源部１４は、車のスタータ等の外部機器１７を駆動する場合に使用される。
【００５６】
さらに、システムコントローラ部１１には、演算処理等を行うためのＣＰＵ部、格納されたプログラムを実行するためのＲＯＭ部、および、実行されたプログラムの演算結果を一時的に記憶するＲＡＭ部等が含まれている。
【００５７】
次に、全体動作を説明する。
【００５８】
本実施形態の情報再生装置ＳＰにおいては、例えば、情報再生部１２は、ＣＤなどの音楽情報が記録された再生媒体（図示せず）を再生するプレイヤーであり、再生した音楽等の情報を、再生信号Ｓｇｃとして出力し、データ伸張部１３において再生信号Ｓｇｃを伸張して、出力信号Ｓｇｏ（以下、当該情報を、適宜プログラム情報と称する）として出力する。
【００５９】
情報再生部１２の再生媒体であるＣＤの回転速度が増加すると、情報再生部１２から再生される再生信号Ｓｇｃの時間当たりの量であるビットレート（ｂｉｔｓ／秒）が、大きくなる。この場合は、情報再生部１２において消費される消費電力は大きくなる。
【００６０】
本実施形態においては、再生媒体をＣＤとして説明しているが、本願はこれに限られるわけではなく、ＣＤ−Ｒ、ＣＤ−ＲＷ、ＣＤ−ＲＯＭ、ＤＶＤ−Ｒ、ＤＶＤ−ＲＷ、ＤＶＤ−ＲＯＭ、ＤＶＤ＋Ｒ、ＤＶＤ＋ＲＷ、ＤＶＤ＋ＲＯＭ、ＭＤ、ＨＤＤ等の記録媒体にも適用され、情報再生部１２もこれら媒体種類に対応するプレイヤーとなる。
【００６１】
また、データ伸張部１３のデータ伸張率は、システムコントローラ部１１からの制御信号Ｃ１１によって制御される。再生信号Ｓｇｃのデータ伸張率を高くすると、データ伸張部１３の演算量は増加し複雑な伸張処理を行う。この結果、データ伸張部１３において消費される消費電力は大きくなる。
【００６２】
情報再生部１２の再生媒体であるＣＤの回転速度が遅くなると、情報再生部１２から再生される再生信号Ｓｇｃの時間当たりの量であるビットレートが、小さくなる。この場合は、情報再生部１２において消費される消費電力が小さくなる。
【００６３】
また、再生信号Ｓｇｃのデータ伸張率を低くすると、データ伸張部１３の演算量は減少し複雑な伸張処理を行わない。この結果、データ伸張部１３において消費される消費電力は小さくなる。
【００６４】
情報再生部１２における再生される単位時間当たりの情報量であるビットレートと消費電力との関係は、あらかじめ測定され、システムコントローラ部１１内のＲＯＭ部にあらかじめ記録されている。したがって、ビットレートに対応する再生媒体の回転数と、情報再生部１２で消費される消費電力との関係がＲＯＭ部にあらかじめ記録されていることになる。
【００６５】
また、データ伸張部１３におけるデータ伸張率と消費電力との関係も、あらかじめ測定され、システムコントローラ部１１内のＲＯＭ部にあらかじめ記録されている。したがって、データ伸張率が決定されると、データ伸張率に対応したデータ伸張部１３の消費電力が定まる。さらに、データ伸張率が決定されると、情報再生部１３から再生される再生信号Ｓｇｃの単位時間当たりの情報量であるビットレートが決まるので、情報再生部１２の消費電力も定まることになる。
【００６６】
内部電源部１４は、情報再生装置ＳＰの各ブロックへ電源を供給するバッテリ等であるが、外部電源部１６から電力を供給される場合もある。この場合には、外部電源部１６で発生した電力を平滑して、情報再生装置ＳＰの各ブロックへ電源を供給するとともに、内部電源部１４が充電されることになる。
【００６７】
内部電源部１４から、システムコントローラ部１１に必要な電力が電源線ＶＢＰ１を介して供給され、データ伸張部１３に必要な電力が電源線ＶＢＰ２を介して供給され、情報再生部１２に必要な電力が電源線ＶＢＰ２を介して供給される。また、内部電源部１４から、メモリ部１８に必要な電力が電源線ＶＢＰ８を介して供給される。各ブロックには、このようにして必要な電力が内部電源部１４から供給される。
【００６８】
また、内部電源部１４は、自動車のスタータ等の外部機器１７を始動させる場合の電源供給源としても必要となる。自動車等のスタータとしての外部機器７が始動して、自動車等のエンジンが動作すると、エンジンの回転によって外部電源部６で電力が発生し、内部電源部４に電力が供給される。外部電源部１６に相当するエンジンから内部電源部１４に電力が供給されなくなる場合とは、エンジンが停止する場合である。エンジンが停止している場合には、システムコントローラ部１１は必要に応じて情報再生部１２から再生信号Ｓｇｃを出力し、データ伸張部３でデータ伸張処理を行い、出力信号Ｓｇｏとして出力する動作を行う。
【００６９】
電圧検出部１５は、内部電源部１４の電圧レベルを、信号ＶＣ１１を介して検出している。検出結果は、信号ＶＣ１３を介してシステムコントローラ部１１に出力される。システムコントローラ部１３は信号ＶＣ１３の情報に応じて、情報再生部１２から再生信号Ｓｇｃを出力し、データ伸張部３でデータ伸張処理を行い、出力信号Ｓｇｏとして出力する動作を行うか否かを決定する。
【００７０】
外部電源部１６から内部電源部１４への電力の供給が停止すると、内部電源部１４から信号ＶＣ１２を介してシステムコントローラ部１１に電力供給が停止したことを示す情報が出力される。この情報を受け取ったシステムコントローラ部１１は、内部電源部１４の電力容量内で、情報再生装置ＳＰを動作させる必要があることを検知する。
【００７１】
（IV）本願の第２の実施形態
次に、システムコントローラ部１１の制御の下で実行される本実施形態に係るプログラム情報である出力信号Ｓｇｏの再生処理について、図４を用いて説明する。なお、図４は本実施形態に係る再生処理を示すフローチャートである。
【００７２】
また、以下の本実施形態は、外部電源部１６から内部電源部１４への電力供給が停止した後の、内部電源部１４の電圧レベルに応じたシステムコントローラ部１１の処理内容を説明するものである。
【００７３】
図４に示すように、本実施形態の再生処理においては、ステップＳ２１において、再生処理を開始する。すなわち、情報再生部１２から再生信号Ｓｇｃが出力され、データ伸張部３でデータ伸張処理が行われ、伸張処理が行われた出力信号Ｓｇｏが出力される。以上の動作をシステムコントローラ部１１が制御する。
【００７４】
ステップＳ２２において、外部電源部１６から内部電源部１４に電力が供給されているか、供給されていないかをシステムコントローラ部１１が検出する。システムコントローラ部１１は、内部電源部１４から出力される信号ＶＣ１２によって、外部電源部１６から内部電源部１４に電力が供給されているか、供給されていないかを検出する。外部電源部１６から内部電源部１４に電力が供給されている場合（ステップＳ２２；ＮＯ）の場合には、情報再生部１２から再生信号Ｓｇｃが出力され、データ伸張部３でデータ伸張処理が行われ、伸張処理が行われた出力信号Ｓｇｏが出力される動作を続け、再び、ステップ２２で信号ＶＣ１２が変化していないかを調べる。外部電源部１６から内部電源部１４に電力が供給されていない場合（ステップＳ２２；ＹＥＳ）の場合には、ステップＳ２３に進む。
【００７５】
ステップＳ２３では、内部電源部１４の電圧値が信号ＶＣ１１を介して電圧検出部１５で検出され、検出された結果の値が信号ＶＣ１３を介してシステムコントローラ部１１に入力される。その結果、内部電源部１４の電圧値が十分に大きい場合（例えば本実施形態のバッテリでは１４．４ボルト以上の場合）には、ステップＳ２７に進み、ステップＳ２７へ進む電圧値よりも小さいがある程度大きい場合にはステップＳ２６に進み、ステップＳ２６へ進む電圧値よりも小さいがある程度大きい場合にはステップＳ２５に進み、ステップＳ２５へ進む電圧値よりも小さい場合（例えば本実施形態のバッテリでは１２．０ボルト以下の場合）にはステップＳ２４に進む。
【００７６】
ステップＳ２４では、システムコントローラ部１１は、内部電源部１４の残り電力容量が小さいと判断し、ただちに再生動作を終了し、ステップＳ２９に進む。
【００７７】
ステップＳ２９では、スタンバイモードへ情報再生装置ＳＰが移行する。ここで、スタンバイモードとは、情報再生装置ＳＰが必要最小限の電力しか消費しない状態である。具体的には、情報再生装置ＳＰの動作に必要な情報が記録されているメモリ部１８にのみ内部電源部１４から電源線ＶＢＰ４を通じて電力を供給する状態である。このような状態に情報再生装置ＳＰを移行することによって、内部電源部１４の電力を余分に消費させないようにするのである。この結果、車等に搭載された情報再生装置ＳＰの場合、外部機器１７であるスタータを起動するために必要な電力を内部電源部１４に残すことができるようになる。したがって、情報再生装置ＳＰの再生動作のために、内部電源部１４の電力が少なくなり、外部機器１７であるスタータを起動することができなくなることを防ぐことができる。
【００７８】
ステップＳ２５では、システムコントローラ部１１の制御によって、情報再生部１２から再生信号Ｓｇｃが出力され、データ伸張部３でデータ伸張処理が行われ、伸張処理が行われた出力信号Ｓｇｏが出力される動作が続けられ、ステップＳ３１に進む。
【００７９】
ステップＳ３１では、情報再生装置ＳＰの再生動作が完了したか否かが判断される。具体的には、情報再生装置１２において再生されるべき情報がなくなったか否かが、情報再生装置１２から出力される信号Ｃ１３を介してシステムコントローラ部１１に入力される。再生動作が完了していない場合には（ステップＳ３１：ＮＯ）、ステップＳ３２に進み、再生動作が完了した場合には（ステップＳ３１：ＹＥＳ）、ステップＳ２９に進む。
【００８０】
ステップＳ３２では、情報再生装置ＳＰの再生動作中において、再生信号Ｓｇｃとして出力される情報が曲単位で再生動作が完了したか否かが判断される。具体的には、出力信号Ｓｇｏとして出力される情報が一つの曲の終了部分になったか否かを示す情報が情報再生措置１２から出力される信号Ｃ１３を介してシステムコントローラ部１１に入力される。システムコントローラ部１１は、再生信号Ｓｇｃが一つの曲の終了部分になった旨の情報を信号Ｃ１３を介して検出できない意場合は、（ステップＳ３２；ＮＯ）ステップＳ２３に進み、再び内部電源部１４の電圧を検出する。システムコントローラ部１１は、プログラム情報が一つの曲の終了部分になった旨の情報を信号Ｃ１３を介して検出した場合は、（ステップＳ３２；ＹＥＳ）ステップＳ３３に進む。
【００８１】
ステップＳ２６では、ステップＳ２５へ進む電圧値よりも大きいが十分に大きな電圧値とはいえない値が検出された場合の処理を示すフローである。ステップＳ２５と同様に、システムコントローラ部１１の制御によって、情報再生部１２から再生信号Ｓｇｃが出力され、データ伸張部１３でデータ伸張処理が行われ、伸張処理が行われた出力信号Ｓｇｏが出力される動作が続けられ、ステップＳ３４に進む。
【００８２】
ステップＳ３４では、ステップＳ３１と同様に、情報再生装置ＳＰの再生動作が完了したか否か判断される。具体的には、情報再生装置１２において再生されるべき情報がなくなったか否かが、情報再生装置１２から出力される信号Ｃ１３を介してシステムコントローラ部１１に入力される。再生動作が完了していない場合には（ステップＳ３４：ＮＯ）、ステップＳ３６に進み、再生動作が完了した場合には（ステップＳ３４：ＹＥＳ）、ステップＳ２９に進む。
【００８３】
ステップＳ３６では、ステップＳ３２と同様に、情報再生装置ＳＰの再生動作中において、再生信号Ｓｇｃとして出力される情報が曲単位で再生動作が完了したか否かが判断される。具体的には、出力信号Ｓｇｏとして出力される情報が一つの曲の終了部分になったか否かを示す情報が情報再生措置１２から出力される信号Ｃ１３を介してシステムコントローラ部１１に入力される。システムコントローラ部１１は、再生信号Ｓｇｃが一つの曲の終了部分になった旨の情報を信号Ｃ１３を介して検出できない場合は（ステップＳ３６；ＮＯ）、ステップＳ２３に進み、再び内部電源部１４の電圧を検出する。システムコントローラ部１１は、プログラム情報が一つの曲の終了部分になった旨の情報を信号Ｃ１３を介して検出した場合は、（ステップＳ３６；ＹＥＳ）ステップＳ３７に進む。
【００８４】
ステップＳ３７では、情報再生装置ＳＰは、低消費動作モードへ移行する。低消費動作モードとは、内部電源部１４から、情報再生装置ＳＰへ供給される電力を、必要最小限の電力量とし、情報再生装置ＳＰの消費電力を少なくさせる状態のことをいう。具体的には、内部電源部１４から、情報再生装置ＳＰの動作に必要な情報が記録されているメモリ部１８に必要な電力が電源線ＶＢＰ８を介して供給される。この電力は、メモリ部１８がデータの記録状態を保持するために必要な最小限の電力である。また、内部電源部１４から、情報再生装置ＳＰの動作に必要な電力が電源線ＶＢＰ１を介してシステムコントローラ部１１に供給される。システムコントローラ部１１が、電圧検出部１５からの検出電圧値を入力し、判断処理を行い、他のブロック部に制御信号を出力するために必要な電力のみが内部電源部１４から供給されるのである。また、内部電源部１４から、情報再生装置ＳＰの動作に必要な電力が電源線ＶＢＰ１を介して電圧検出部１５に供給される。電圧検出部が内部電源部１４の電圧値を検出し、システムコントローラ部１１に検出された電圧値を出力するために必要な電力のみが内部電源部１４から供給されるのである。
【００８５】
データ伸張部１３では、消費電力が小さくなるように、データ伸張率が小さな値に設定がされる。この設定は、システムコントローラ部１１が、制御信号Ｃ１２を介して設定する。データ伸張部１３での圧縮率が小さくなると、データ伸張部１３の消費電力が小さくなる。また、情報再生部１２の記録媒体の回転数は増加し、データ伸張部１３での伸張率に見合う単位時間当たりの情報量が、情報再生部１２から再生される。
【００８６】
データ伸張部１３におけるデータ伸張率と消費電力との関係は、あらかじめ測定され、システムコントローラ部１内のＲＯＭ部にあらかじめ再生されている。また、情報再生部１２における再生されるべき単位時間当たりの情報量と消費電力との関係も、あらかじめ測定され、システムコントローラ部１内のＲＯＭ部にあらかじめ再生される。したがって、データ伸張率が決定されると、データ伸張率に対応したデータ伸張部１３の消費電力が定まる。さらに、データ伸張率が決定されると、情報再生部１２で再生される単位時間当たりの情報量が決まるので、情報再生部１２の消費電力も定まることになる。このような情報を基に、システムコントローラ部１１は、出力信号Ｓｇｏの品質を一定範囲内に維持しつつ、データ伸張部１３の消費電力量と、情報再生部１２の消費電力量との和が最小になるようにする。具体的には、システムコントローラ部１１は、制御信号Ｃ１２によって、データ伸張部１３のデータ伸張率を設定する。また、システムコントローラ部１１は、制御信号Ｃ１３によって、情報再生部１２の情報量を設定する。情報再生部１２の記録媒体がＣＤの場合には、情報再生部１２のＣＤの回転数が設定される。この結果、電源電圧部１４の残存電力量が少なくなった場合でも、曲の途中で再生動作を終了させることなく、データ伸張率を上下させることによって、情報再生装置ＳＰの消費電力を下げて曲単位で再生動作を終了させることも可能になるのである。
【００８７】
ステップＳ２７は、内部電源部１４の電圧が十分高く、内部電源部１４の残存電力が十分にある場合の処理を示すフローである。ステップＳ２６と同様に、システムコントローラ部１１の制御によって、情報再生部１２から再生信号Ｓｇｃが出力され、データ伸張部１３でデータ伸張処理が行われ、伸張処理が行われた出力信号Ｓｇｏが出力される動作を続け、ステップＳ３８に進む。
【００８８】
ステップＳ３８では、ステップＳ３４と同様に、情報再生装置ＳＰの再生動作が完了したか否か判断される。具体的には、情報再生装置１２において再生されるべき情報がなくなったか否かが、情報再生装置１２から出力される信号Ｃ１３を介してシステムコントローラ部１１に入力される。再生動作が完了していない場合には（ステップＳ３８：ＮＯ）、ステップＳ２３に進み、再生動作が完了した場合には（ステップＳ３８：ＹＥＳ）、ステップＳ３０に進む。
【００８９】
ステップＳ３０において、情報再生装置ＳＰの再生動作が終了する。
【００９０】
以上述べてきた本実施形態によれば、車等のエンジンを停止した場合に、車載の情報記録装置等を使用した音声等のプログラム情報記録が終了していない場合には、ＨＤＤ等の記録手段への音声の圧縮率等の記録状況と、ＨＤＤ等の書き込み速度に相当する回転速度等の記録状況にもとづいて、情報記録装置の消費電力を制御することができる。すなわち、車のエンジンを停止した後における、情報記録装置の電源であるバッテリ等の電力容量に合わせて、記録される音声の品質を一定の品質に保ちながら、記録途中の音声の圧縮率やＨＤＤへの記録速度を変更させて、音声を記録させることが可能になった。
【００９１】
また、情報記録装置の電源であるバッテリ等の電力容量がある程度残っていると判断された場合には、さらに次の音声等の情報を記録する待機モードに移行することにより、不必要な電力を使用しないですむようになった。
【００９２】
さらに、情報記録装置の電源であるバッテリ等の電力容量が、音声の記録動作を続けるためには十分でない場合は、音声の記録途中であっても記録動作をただちに中断し、記録途中の音声の管理情報を消去等することとした。このような構成にすることで、バッテリ等の残存電力容量を最低限確保することにより、車の始動時におけるセルモーター等の機器を動作させる電力を確保することが可能となった。
【００９３】
さらに、情報記録装置の電源であるバッテリ等の電力容量が、少なくなってきた場合には、音声のＨＤＤへの記録動作を、記録中の曲が終了するまで続けるようにした。その後は、情報記録装置に必要な最小限の電力のみを消費する構成とした。したがって、記録途中の音声が途中で途切れてしまうことがなくなった。また、曲単位で音声の記録を終了することができるので、残り少なくなったバッテリ等の残存電力を余分に消費することがなくなり、車の始動時におけるセルモーター等の機器を動作させる電力を確保することが可能となった。
【００９４】
さらに、音声の記録動作時に音声の圧縮率を小さくすることにより、音声圧縮を行うＤＳＰ等の消費電力が小さくなるので、情報記録装置全体の消費電力が減少することになる。したがって、バッテリ等の残存電力容量の減少する割合が小さくなるので、記録されるべき音声をさらに記録し続けることが可能となった。
【００９５】
さらに、車のエンジンを停止した場合に、車載の情報再生装置等を使用した音声等のプログラム情報記録の再生が終了していない場合には、ＣＤ等の再生手段からの音声の復号化等の再生状況と、ＣＤの読み出し速度に相当する回転速度等の再生状況にもとづいて、情報再生装置の消費電力を制御することができる。すなわち、車のエンジンを停止した後における、情報再生装置の電源であるバッテリ等の電力容量に合わせて、再生途中の音声の復号化率やＣＤの再生速度を変更させて、残りの音声を再生させることが可能になった。
【００９６】
なお、図３乃至図４に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを本実施形態に係るシステムコントローラ部１、１１として用いることも可能である。
【００９７】
また、本実施形態では、内部電源部の電圧を４つの場合に分けて説明を行ったが、本願は４つの場合に限られるわけではなく、内部電源部の電圧を更に細かく分割して処理をしてもよい。たとえば、記録または再生を開始した直後に、内部電源の電圧の低下を検出した場合には、低消費動作モードに移行し、再度初めから記録または再生動作を行わせることも可能である。
【００９８】
さらに、内部電源部の電圧降下速度から内部電源部の残り電力容量を推定することができる。この場合に、あらかじめ記録または再生する情報容量や記録または再生が終了するまでの時間がわかっていれば、前記情報容量や残り時間に応じて、低消費動作モードへ移行するタイミングを決定することができる。
【００９９】
さらに、内部電源の電圧値は、季節により変動する場合もあるので、夏と冬とで図２および図３の内部電源電圧の検出値を変更するようにしてもよい。たとえば、気温の高い夏には図２および図３の検出電圧値の値を低めに設定し、気温の低い冬には図２および図３の検出電圧値の値を高めに設定してもよい。
【０１００】
さらに、低消費動作モードにおいては、システムコントローラ部の動作周波数を低減して、システムコントローラ部の消費電力を低減することもできる。
【０１０１】
さらに、本実施形態において車に搭載された情報記録装置および情報再生装置について説明したが、車に搭載した場合に限られるわけではない。たとえば、バッテリで動作する持ち運び可能なポータブル情報記録装置および情報再生装置にも本願を適用することができる。
【０１０２】
さらに、車と自宅の情報記録再生装置とを無線ＬＡＮで結び、自宅の情報記録再生装置から車に搭載された情報記録装置に音声情報等のプログラム情報を夜間に記録させ、翌日、車を運転している際に、夜間記録した音声情報を聞く場合にも、本願を適用させることが可能である。
【図面の簡単な説明】
【０１０３】
【図１】第１実施形態の情報記録装置の概要構成例を示すブロック図である。
【図２】第２実施形態の情報記録装置の概要構成を示すブロック図である。
【図３】第１実施形態の動作の全体を示すフローチャートである。
【図４】第２実施形態の動作の全体を示すフローチャートである。
【符号の説明】
【０１０４】
１、１１…システムコントローラ部
２…データ圧縮部
３…情報記録部
４、１４…内部電源部
５、１５…電圧検出部
６、１６…外部電源部
７、１７…外部機器
１２…情報再生部
１３…データ伸張部
Ｓｇｉ…入力信号
Ｓｇｏ…出力信号
【図１】
2005243143.tif 000003
【図２】
2005243143.tif 000004
【図３】
2005243143.tif 000005
【図４】
2005243143.tif 000006